(57)【特許請求の範囲】
【請求項１】
無線基地局から、測定規則を追加或いは削除するように指定する測定規則指定コマンドを受信するように構成されている測定規則指定コマンド受信部と、
前記無線基地局から、前記測定規則指定コマンドとは別に、測定対象を追加或いは削除するように指定する測定対象指定コマンドを受信するように構成されている測定対象指定コマンド受信部と、
前記無線基地局から、前記測定規則と前記測定対象との関連付けを指定するマッピング指定コマンドを受信するように構成されているマッピング指定コマンド受信部と、
前記マッピング指定コマンドに基づいて、前記測定規則と前記測定対象とを関連付けて記憶するように構成されている記憶部と、
前記記憶部において記憶されている前記測定対象によって規定されている周波数が用いられている異周波数セルにおける通信品質の測定を行うように構成されている測定部と、
前記通信品質の測定結果に基づいて、前記測定対象に関連付けられている前記測定規則によって定義されている判定条件が満たされると判定した場合に、前記無線基地局に対して測定報告を送信するように構成されている測定報告送信部とを有することを特徴とする移動局。
【請求項２】
前記通信品質の測定には、現在通信中のセルよりも高い優先度の周波数が用いられている異周波数セルにおける通信品質を測定する第１測定と、現在通信中のセルと同じ優先度が用いられている異周波数セルにおける通信品質を測定する第２測定と、現在通信中のセルよりも低い優先度の周波数が用いられている異周波数セルにおける通信品質を測定する第３測定とが含まれることを特徴とする請求項１に記載の移動局。
【請求項３】
前記第１測定によって測定された通信品質に基づいて測定報告を送信すべきか否かについて判定するための第１判定条件と、前記第２測定によって測定された通信品質に基づいて測定報告を送信すべきか否かについて判定するための第２判定条件と、前記第３測定によって測定された通信品質に基づいて測定報告を送信すべきか否かについて判定するための第３判定条件とが異なることを特徴とする請求項２に記載の移動局。
【発明の詳細な説明】
【技術分野】
【０００１】
本発明は、移動通信方法及び無線基地局に関する。
【背景技術】
【０００２】
従来から、異なる周波数が用いられている複数のセル（周波数セル）が混在する通信環境において、移動局ＵＥについての異周波数ハンドオーバを行うことが可能な移動通信システムが規定されている。
【０００３】
具体的には、３ＧＰＰで規定されている「ＬＴＥ（Ｌｏｎｇ  Ｔｅｒｍ  Ｅｖｏｌｕｔｉｏｎ）」方式の移動通信システムでは、移動局ＵＥが、現在通信中の周波数セルの隣接セル（異周波数セル）における通信品質を測定し、判定条件を参照して、測定された通信品質が所定通信品質を満たすと判定した場合、その旨を示す測定報告（Ｍｅａｓｕｒｅｍｅｎｔ  Ｒｅｐｏｒｔ）を無線基地局ｅＮＢに対して送信し、無線基地局ｅＮＢが、受信した測定報告に応じて、当該移動局ＵＥについて、現在通信中の周波数セルから、より通信品質の良い別の周波数セルに、異周波数ハンドオーバを行うべき旨を決定するように構成されている。
【０００４】
ここで、ＬＴＥ方式の移動通信システムは、既に展開されているＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）方式の移動通信システムやＧＥＲＡＮ（ＧＳＭ  ＥＤＧＥ  Ｒａｄｉｏ  Ａｃｃｅｓｓ  Ｎｅｔｅｗｏｒｋ）方式の移動通信システムといった他の方式の移動通信システムと共存し、これらの移動通信システムとの間のモビリティをサポートする必要がある。
【０００５】
なお、異なる移動通信システムでは、提供されるサービスや伝送速度や無線効率等に差があり、ユーザの契約条件や利用サービスによって通信に最適な移動通信システムが異なる。
【０００６】
また、ＬＴＥ方式の移動通信システムは、１.４ＭＨｚから２０ＭＨｚの様々な帯域幅をサポートするため、帯域幅が異なる複数のＬＴＥキャリア（周波数）が存在する場合、利用サービスによって最適な周波数が異なってくる。
【０００７】
例えば、大量なデータを瞬時にダウンロードしたいサービスでは、広帯域なキャリア（周波数）が好ましいが、音声サービスやマシン間通信のようなサービスでは、必ずしも広帯域なキャリア（周波数）を用いる必要はない。
【０００８】
また、移動通信システム（ＲＡＴ）間やキャリア（周波数）間の混雑度合いに応じて、柔軟にＲＡＴや周波数を切り替えることが望ましい。
【０００９】
よって、ユーザの契約条件や利用サービスや混雑度合いに応じて、ＲＡＴや周波数を柔軟に切り替えることができる方法が必要となり、特に、ＲＡＴ毎や周波数毎に優先度を指定できる制御方法が必要となる。
【先行技術文献】
【非特許文献】
【００１０】
【非特許文献１】３ＧＰＰ  ＴＳ２５．３３１  ｖ７．６．０，  Ｏｃｔｏｂｅｒ  ２００７
【発明の概要】
【発明が解決しようとする課題】
【００１１】
しかしながら、従来の移動通信システムでは、複数の移動通信システム（ＲＡＴ）やキャリア（周波数）の間で、それらの優先度に応じて、上述の判定条件を柔軟に変更することができないという問題点があった。
【００１２】
そこで、本発明は、上述の課題に鑑みてなされたものであり、移動局ＵＥによって測定報告を送信するべきか否かについて判定するための判定条件について柔軟に変更することができる移動通信方法及び無線基地局を提供することを目的とする。
【課題を解決するための手段】
【００１３】
本発明の第１の特徴は、移動通信方法であって、無線基地局が、移動局に対して、測定規則を追加或いは削除するように指定する測定規則指定コマンドを送信する工程と、前記無線基地局が、前記移動局に対して、前記測定規則指定コマンドとは別に、測定対象を追加或いは削除するように指定する測定対象指定コマンドを送信する工程と、前記無線基地局が、前記移動局に対して、前記測定規則と前記測定対象との関連付けを指定するマッピング指定コマンドを送信する工程と、前記移動局が、前記マッピング指定コマンドに基づいて、前記測定規則と前記測定対象とを関連付けて記憶する工程と、前記移動局が、記憶している前記測定対象によって規定されている周波数が用いられている異周波数セルにおける通信品質の測定を行う工程と、前記移動局が、前記通信品質の測定結果に基づいて、前記測定対象に関連付けられている前記測定規則によって定義されている判定条件が満たされると判定した場合に、前記無線基地局に対して測定報告を送信する工程とを有することを有することを要旨とする。
【００１４】
本発明の第１の特徴において、前記無線基地局は、前記測定規則指定コマンドと前記測定対象指定コマンドと前記マッピング指定コマンドとを同一のシグナリングで送信してもよい。
【００１５】
本発明の第１の特徴において、前記移動局が、前記マッピング指定コマンドに基づく前記測定規則と前記測定対象との関連付けを削除する工程とを有してもよい。
【００１６】
本発明の第１の特徴において、前記通信品質の測定には、現在通信中のセルよりも高い優先度の周波数が用いられている異周波数セルにおける通信品質を測定する第１測定と、現在通信中のセルと同じ優先度が用いられている異周波数セルにおける通信品質を測定する第２測定と、現在通信中のセルよりも低い優先度の周波数が用いられている異周波数セルにおける通信品質を測定する第３測定とが含まれていてもよい。
【００１７】
本発明の第１の特徴において、前記第１測定によって測定された通信品質に基づいて測定報告を送信すべきか否かについて判定するための第１判定条件と、前記第２測定によって測定された通信品質に基づいて測定報告を送信すべきか否かについて判定するための第２判定条件と、前記第３測定によって測定された通信品質に基づいて測定報告を送信すべきか否かについて判定するための第３判定条件とが異なっていてもよい。
【００１８】
本発明の第２の特徴は、無線基地局であって、移動局に対して、測定規則を追加或いは削除するように指定する測定規則指定コマンドを送信するように構成されている測定規則指定コマンド送信部と、前記移動局に対して、前記測定規則指定コマンドとは別に、測定対象を追加或いは削除するように指定する測定対象指定コマンドを送信するように構成されている測定対象指定コマンド送信部と、前記移動局に対して、前記測定規則と前記測定対象との関連付けを指定するマッピング指定コマンドを送信するように構成されているマッピング指定コマンド送信部とを具備し、前記移動局において、記憶されている前記測定対象によって規定されている周波数が用いられている異周波数セルにおける通信品質の測定が行われ、前記移動局において、前記通信品質の測定結果に基づいて、前記測定対象に関連付けられている前記測定規則によって定義されている判定条件が満たされると判定した場合に、前記無線基地局に対して測定報告が送信されることを要旨とする。
【００１９】
本発明の第２の特徴において、前記測定対象指定コマンド送信部及び前記マッピング指定コマンド送信部は、前記測定規則指定コマンドと前記測定対象指定コマンドと前記マッピング指定コマンドとを同一のシグナリングで送信するように構成されていてもよい。
【００２０】
本発明の第２の特徴において、前記通信品質の測定には、現在通信中のセルよりも高い優先度の周波数が用いられている異周波数セルにおける通信品質を測定する第１測定と、現在通信中のセルと同じ優先度が用いられている異周波数セルにおける通信品質を測定する第２測定と、現在通信中のセルよりも低い優先度の周波数が用いられている異周波数セルにおける通信品質を測定する第３測定とが含まれていてもよい。
【００２１】
本発明の第２の特徴において、前記第１測定によって測定された通信品質に基づいて測定報告を送信すべきか否かについて判定するための第１判定条件と、前記第２測定によって測定された通信品質に基づいて測定報告を送信すべきか否かについて判定するための第２判定条件と、前記第３測定によって測定された通信品質に基づいて測定報告を送信すべきか否かについて判定するための第３判定条件とが異なっていてもよい。
【発明の効果】
【００２２】
以上説明したように、本発明によれば、移動局ＵＥによって測定報告を送信するべきか否かについて判定するための判定条件について柔軟に変更することができる移動通信方法及び無線基地局を提供することができる。
【図面の簡単な説明】
【００２３】
【図１】本発明の第１の実施形態に係る移動通信システムの全体構成図である。
【図２】本発明の第１の実施形態に係る移動局の機能ブロック図である。
【図３】本発明の第１の実施形態に係る移動局に記憶されているＭｅａｓｕｒｅｍｅｎｔ  Ｒｕｌｅの一例を示す図である。
【図４】本発明の第１の実施形態に係る移動局に記憶されているＭｅａｓｕｒｅｍｅｎｔ  Ｏｂｊｅｃｔの一例を示す図である。
【図５】本発明の第１の実施形態に係る無線基地局の機能ブロック図である。
【図６】本発明の第１の実施形態に係る移動通信システムの動作を示すシーケンス図である。
【発明を実施するための形態】
【００２４】
（本発明の第１の実施形態に係る移動通信システムの構成）
図１乃至図５を参照して、本発明の第１の実施形態に係る移動通信システムの構成について説明する。
【００２５】
図１に示すように、本実施形態に係る移動通信システムでは、周波数ｆ１が用いられているＬＴＥ方式の移動通信システムのセルであるＬＴＥセル＃１と、周波数ｆ２が用いられているＬＴＥ方式の移動通信システムのセルであるＬＴＥセル＃２と、周波数ｆ３が用いられているＬＴＥ方式の移動通信システムのセルであるＬＴＥセル＃３と、周波数ｆ４が用いられているＵＴＲＡＮ方式の移動通信システムのセルであるＵＴＲＡＮセル＃１と、周波数ｆ５が用いられているＵＴＲＡＮ方式の移動通信システムのセルであるＵＴＲＡＮセル＃２と、周波数（バンド）ｆ６が用いられているＧＥＲＡＮ方式の移動通信システムのセルであるＧＥＲＡＮセル＃１とが混在している。
【００２６】
図１の例では、移動局ＵＥは、ＬＴＥセル＃３との間で通信中であり、ＬＴＥセル＃１、ＬＴＥセル＃２、ＵＴＲＡＮセル＃１、ＵＴＲＡＮセル＃２、ＧＥＲＡＮセル＃１における通信品質を測定することができるものとする。
【００２７】
図２に示すように、本実施形態に係る移動局ＵＥは、Ｍｅａｓｕｒｅｍｅｎｔ  Ｒｕｌｅ指定コマンド受信部１１と、Ｍｅａｓｕｒｅｍｅｎｔ  Ｏｂｊｅｃｔ指定コマンド受信部１２と、Ｍａｐｐｉｎｇ指定コマンド受信部１３と、測定情報記憶部１４と、測定部１５と、Ｍｅａｓｕｒｅｍｅｎｔ  Ｒｅｐｏｒｔ送信部１６とを具備している。
【００２８】
Ｍｅａｓｕｒｅｍｅｎｔ  Ｒｕｌｅ指定コマンド受信部１１は、報知信号又は個別信号を介して無線基地局ｅＮＢから送信されたＭｅａｓｕｒｅｍｅｎｔ  Ｒｕｌｅ指定コマンド（測定規則指定コマンド）を受信し、測定情報記憶部１４における「Ｍｅａｓｕｒｅｍｅｎｔ  Ｒｕｌｅ（測定規則）」の追加或いは削除を行うように構成されている。
【００２９】
ここで、「Ｍｅａｓｕｒｅｍｅｎｔ  Ｒｕｌｅ（測定規則）」は、「Ｒｅｐｏｒｔｉｎｇ  Ｃｏｎｆｉｇｕｒａｔｉｏｎ」と呼ばれてもよい。
【００３０】
Ｍｅａｓｕｒｅｍｅｎｔ  Ｒｕｌｅは、移動局ＵＥに対して、現在通信中のセルと異なる周波数が用いられている異周波数セルにおける通信品質の測定結果に基づいてＭｅａｓｕｒｅｍｅｎｔ  Ｒｅｐｏｒｔを送信すべきか否かについて判定するための判定条件を定義するものである。
【００３１】
具体的には、上述のＭｅａｓｕｒｅｍｅｎｔ  Ｒｕｌｅは、「Ｍｅａｓｕｒｅｍｅｎｔ-ＩＤ」によって識別され、「Ｅｖｅｎｔ-Ｔｙｐｅ」と「パラメータ」とによって規定されている判定条件を定義するものである（図３参照）。
【００３２】
なお、「Ｍｅａｓｕｒｅｍｅｎｔ-ＩＤ」は、当該「Ｍｅａｓｕｒｅｍｅｎｔ  Ｒｕｌｅ」によって定義される判定条件を識別するための情報である。
【００３３】
「Ｅｖｅｎｔ-Ｔｙｐｅ」は、当該「Ｍｅａｓｕｒｅｍｅｎｔ  Ｒｕｌｅ」によって定義される判定条件は、後述する第１判定条件乃至第３判定条件のいずれに該当するものであるのかについて示す情報である。
【００３４】
ここで、第１判定条件は、第１測定によって測定された通信品質に基づいてＭｅａｓｕｒｅｍｅｎｔ  Ｒｅｐｏｒｔを送信すべきか否かについて判定するための判定条件であり、第２判定条件は、第２測定によって測定された通信品質に基づいてＭｅａｓｕｒｅｍｅｎｔ  Ｒｅｐｏｒｔを送信すべきか否かについて判定するための判定条件であり、第３判定条件は、第３測定によって測定された通信品質に基づいてＭｅａｓｕｒｅｍｅｎｔ  Ｒｅｐｏｒｔを送信すべきか否かについて判定するための判定条件である。
【００３５】
また、第１測定は、移動局ＵＥが現在通信中のセルよりも高い優先度の周波数が用いられている異周波数セルにおける通信品質を測定するものであり、第２測定は、移動局ＵＥが現在通信中のセルと同じ優先度が用いられている異周波数セルにおける通信品質を測定するものであり、第３測定は、移動局ＵＥが現在通信中のセルよりも低い優先度の周波数が用いられている異周波数セルにおける通信品質を測定することを主目的とした測定である。
【００３６】
例えば、第１判定条件は、以下の（式１）に示す条件式に基づいて定義される。
【００３７】
測定対象セルにおける通信品質＞所定閾値Ｔｈ１  …  （式１）
また、第２判定条件は、以下の（式２）に示す条件式に基づいて定義される。
【００３８】
測定対象セルにおける通信品質＋所定オフセット値＞現在通信中のセルにおける通信品質  …  （式２）
さらに、第３判定条件は、以下の（式３）に示す条件式に基づいて定義される。
【００３９】
現在通信中のセルにおける通信品質＜所定閾値Ｔｈ２、かつ、測定対象セルにおける通信品質＞所定閾値Ｔｈ３  …  （式３）
「パラメータ」は、上述の所定閾値Ｔｈ１乃至Ｔｈ３や所定オフセット値等のパラメータを含む。
【００４０】
また、上述の判定条件において、測定対象セルや現在通信中のセルにおける通信品質の測定結果に対して、セル固有の補正値が加味されてもよい。かかる補正値は、特定のセルへの遷移をし易く、或いは、特定のセルへの遷移をし難くするために用いられ、報知信号又は個別信号で指定される。
【００４１】
なお、かかるパラメータとして、上述の通信品質の測定を行うタイミング（「Ｔｉｍｅ  ｔｏ  Ｔｒｉｇｇｅｒ」）や、Ｍｅａｓｕｒｅｍｅｎｔ  Ｒｅｐｏｒｔを送信する間隔（「Ｒｅｐｏｒｔｉｎｇ  Ｉｎｔｅｒｖａｌ」）や、Ｍｅａｓｕｒｅｍｅｎｔ  Ｒｅｐｏｒｔの最大送信回数（「Ｍａｘｉｍｕｍ  Ｎｕｍｂｅｒ  ｏｆ  Ｒｅｐｏｒｔｉｎｇ」）等が含まれていてもよい。
【００４２】
なお、Ｍｅａｓｕｒｅｍｅｎｔ  Ｒｕｌｅ指定コマンド受信部１１は、特定のＭｅａｓｕｒｅｍｅｎｔ  Ｒｕｌｅの削除を指定するＭｅａｓｕｒｅｍｅｎｔ  Ｒｕｌｅ指定コマンドを受信した場合、測定情報記憶部１４において、かかる特定のＭｅａｓｕｒｅｍｅｎｔ  Ｒｕｌｅを削除すると共に、かかる特定のＭｅａｓｕｒｅｍｅｎｔ  Ｒｕｌｅと特定のＭｅａｓｕｒｅｍｅｎｔ  Ｏｂｊｅｃｔとの関連付けを削除するように構成されていてもよい。
【００４３】
Ｍｅａｓｕｒｅｍｅｎｔ  Ｏｂｊｅｃｔ指定コマンド受信部１２は、報知信号又は個別信号を介して無線基地局ｅＮＢから送信されたＭｅａｓｕｒｅｍｅｎｔ  Ｏｂｊｅｃｔ指定コマンド（測定対象指定コマンド）を受信し、測定情報記憶部１４における「Ｍｅａｓｕｒｅｍｅｎｔ  Ｏｂｊｅｃｔ（測定対象）」の追加或いは削除を行うように構成されている。
【００４４】
なお、Ｍｅａｓｕｒｅｍｅｎｔ  Ｏｂｊｅｃｔ指定コマンド受信部１２は、特定のＭｅａｓｕｒｅｍｅｎｔ  Ｏｂｊｅｃｔの削除を指定するＭｅａｓｕｒｅｍｅｎｔ  Ｏｂｊｅｃｔ指定コマンドを受信した場合、測定情報記憶部１４において、かかる特定のＭｅａｓｕｒｅｍｅｎｔ  Ｏｂｊｅｃｔを削除すると共に、かかる特定のＭｅａｓｕｒｅｍｅｎｔ  Ｏｂｊｅｃｔと特定のＭｅａｓｕｒｅｍｅｎｔ  Ｒｕｌｅとの関連付けを削除するように構成されていてもよい。
【００４５】
Ｍｅａｓｕｒｅｍｅｎｔ  Ｏｂｊｅｃｔは、各移動局ＵＥについて、通信品質の測定を行うべき周波数及び当該周波数の優先度を規定するものである。
【００４６】
Ｍａｐｐｉｎｇ指定コマンド受信部１３は、報知信号又は個別信号を介して無線基地局ｅＮＢから送信された「マッピング指定コマンド（Ｍａｐｐｉｎｇ指定コマンド）」を受信し、測定情報記憶部１４において、特定のＭｅａｓｕｒｅｍｅｎｔ  Ｒｕｌｅと特定のＭｅａｓｕｒｅｍｅｎｔ  Ｏｂｊｅｃｔとを関連付けるように構成されている。
【００４７】
ここで、「マッピング指定コマンド（Ｍａｐｐｉｎｇ指定コマンド）」は、「Ｍｅａｓｕｒｅｍｅｎｔ  Ｉｄｅｎｔｉｔｉｅｓ」と呼ばれてもよい。
【００４８】
また、Ｍａｐｐｉｎｇ指定コマンド受信部１３は、特定のＭｅａｓｕｒｅｍｅｎｔ  Ｒｕｌｅと特定のＭｅａｓｕｒｅｍｅｎｔ  Ｏｂｊｅｃｔとの関連付け（マッピング）の削除を指定するＭａｐｐｉｎｇ指定コマンドを受信した場合、測定情報記憶部１４において、かかる関連付けの削除を行うように構成されている。
【００４９】
測定情報記憶部１４は、図３に示すように、Ｍｅａｓｕｒｅｍｅｎｔ  Ｒｕｌｅ指定コマンド受信部１１によって受信されたＭｅａｓｕｒｅｍｅｎｔ  Ｒｕｌｅを記憶するように構成されている。
【００５０】
また、測定情報記憶部１４は、図４に示すように、Ｍｅａｓｕｒｅｍｅｎｔ  Ｏｂｊｅｃｔ指定コマンド受信部１２によって受信されたＭｅａｓｕｒｅｍｅｎｔ  Ｏｂｊｅｃｔを記憶するように構成されている。
【００５１】
なお、図４の例では、移動局ＵＥが、周波数ｆ３が用いられているＬＴＥセル＃３との間で現在通信中であることが示されている。
【００５２】
また、図４の例では、「Ｍｅａｓｕｒｅｍｅｎｔ-ＩＤ＝＃１」によって識別される判定条件を用いて、周波数ｆ１が用いられているＬＴＥセル＃１における通信品質に基づいてＭｅａｓｕｒｅｍｅｎｔ  Ｒｅｐｏｒｔを送信すべきか否かについて判定し、「Ｍｅａｓｕｒｅｍｅｎｔ-ＩＤ＝＃２、＃３」によって識別される判定条件を用いて、周波数ｆ２が用いられているＬＴＥセル＃２における通信品質に基づいてＭｅａｓｕｒｅｍｅｎｔ  Ｒｅｐｏｒｔを送信すべきか否かについて判定し、「Ｍｅａｓｕｒｅｍｅｎｔ-ＩＤ＝＃４」によって識別される判定条件を用いて、周波数ｆ４が用いられているＵＴＲＡＮセル＃１における通信品質に基づいてＭｅａｓｕｒｅｍｅｎｔ  Ｒｅｐｏｒｔを送信すべきか否かについて判定し、「Ｍｅａｓｕｒｅｍｅｎｔ-ＩＤ＝＃４」によって識別される判定条件を用いて、周波数ｆ５が用いられているＵＴＲＡＮセル＃２における通信品質に基づいてＭｅａｓｕｒｅｍｅｎｔ  Ｒｅｐｏｒｔを送信すべきか否かについて判定し、「Ｍｅａｓｕｒｅｍｅｎｔ-ＩＤ＝＃４」によって識別される判定条件を用いて、周波数（バンド）ｆ６が用いられているＧＥＲＡＮセル＃１における通信品質に基づいてＭｅａｓｕｒｅｍｅｎｔ  Ｒｅｐｏｒｔを送信すべきか否かについて判定すべき旨が規定されている。
【００５３】
測定部１５は、測定情報記憶部１４に記憶されているＭｅａｓｕｒｅｍｅｎｔ  Ｏｂｊｅｃｔによって規定されている周波数が用いられている異周波数セルにおける通信品質の測定を行うように構成されている。
【００５４】
例えば、測定部１５は、測定情報記憶部１４に記憶されているＭｅａｓｕｒｅｍｅｎｔ  Ｏｂｊｅｃｔによって規定されている周波数が用いられている異周波数セルのうち、Ｍｅａｓｕｒｅｍｅｎｔ  Ｒｕｌｅが関連付けられている全ての異周波数セル（すなわち、図４に示すテーブルにおいて「Ｍｅａｓｕｒｅｍｅｎｔ-ＩＤ」が設定されている全ての異周波数セル）における通信品質の測定を行うように構成されていている。
【００５５】
Ｍｅａｓｕｒｅｍｅｎｔ  Ｒｅｐｏｒｔ送信部１６は、測定部１５によって測定された通信品質に基づいて、当該Ｍｅａｓｕｒｅｍｅｎｔ  Ｏｂｊｅｃｔに関連付けられているＭｅａｓｕｒｅｍｅｎｔ  Ｒｕｌｅによって定義されている判定条件が満たされると判定した場合に、無線基地局ｅＮＢに対して、Ｍｅａｓｕｒｅｍｅｎｔ  Ｒｅｐｏｒｔを送信するように構成されている。
【００５６】
具体的には、Ｍｅａｓｕｒｅｍｅｎｔ  Ｒｅｐｏｒｔ送信部１６は、図３に示すように、測定情報記憶部１４に記憶されているＭｅａｓｕｒｅｍｅｎｔ  Ｒｕｌｅに含まれる「Ｍｅａｓｕｒｅｍｅｎｔ-ＩＤ」と「Ｅｖｅｎｔ-Ｔｙｐｅ」と「パラメータ」とによって定義される判定条件を用いて、当該Ｍｅａｓｕｒｅｍｅｎｔ  Ｒｕｌｅに関連付けられているＭｅａｓｕｒｅｍｅｎｔ  Ｏｂｊｅｃｔにおける通信品質に基づいてＭｅａｓｕｒｅｍｅｎｔ  Ｒｅｐｏｒｔを送信すべきか否かについて判定するように構成されている。
【００５７】
図４の例では、Ｍｅａｓｕｒｅｍｅｎｔ  Ｒｅｐｏｒｔ送信部１６は、「Ｍｅａｓｕｒｅｍｅｎｔ-ＩＤ＝＃１」によって識別される判定条件を用いてＬＴＥセル＃１における通信品質に基づいてＭｅａｓｕｒｅｍｅｎｔ  Ｒｅｐｏｒｔを送信すべきか否かについて判定し、「Ｍｅａｓｕｒｅｍｅｎｔ-ＩＤ＝＃２、＃３」によって識別される判定条件を用いてＬＴＥセル＃２における通信品質に基づいてＭｅａｓｕｒｅｍｅｎｔ  Ｒｅｐｏｒｔを送信すべきか否かについて判定し、「Ｍｅａｓｕｒｅｍｅｎｔ-ＩＤ＝＃４」によって識別される判定条件を用いてＵＴＲＡＮセル＃１における通信品質に基づいてＭｅａｓｕｒｅｍｅｎｔ  Ｒｅｐｏｒｔを送信すべきか否かについて判定し、「Ｍｅａｓｕｒｅｍｅｎｔ-ＩＤ＝＃４」によって識別される判定条件を用いてＵＴＲＡＮセル＃２における通信品質に基づいてＭｅａｓｕｒｅｍｅｎｔ  Ｒｅｐｏｒｔを送信すべきか否かについて判定し、「Ｍｅａｓｕｒｅｍｅｎｔ-ＩＤ＝＃４」によって識別される判定条件を用いてＧＥＲＡＮセル＃１における通信品質に基づいてＭｅａｓｕｒｅｍｅｎｔ  Ｒｅｐｏｒｔを送信すべきか否かについて判定するように構成されている。
【００５８】
ここで、Ｍｅａｓｕｒｅｍｅｎｔ  Ｒｅｐｏｒｔ送信部１６は、優先度が高い周波数が用いられているセルから順番に、上述の判定を行うように構成されており、１つ又は所定数のＭｅａｓｕｒｅｍｅｎｔ  Ｒｅｐｏｒｔを送信した後は、上述の判定を行わないように構成されていてもよい。
【００５９】
なお、Ｍｅａｓｕｒｅｍｅｎｔ  Ｒｅｐｏｒｔ送信部１６は、（式１）乃至（式３）に示す第１判定条件乃至第３判定条件の雛形を予め記憶しており、上述の「Ｅｖｅｎｔ-Ｔｙｐｅ」によって特定されている第１判定条件乃至第３判定条件の雛形のいずれかを選択し、選択した判定条件の雛形に対して、上述の「パラメータ」に含まれるパラメータ（所定閾値等）を代入したものを、上述の判定に用いる判定条件とするように構成されている。
【００６０】
例えば、図３のケースでは、Ｍｅａｓｕｒｅｍｅｎｔ  Ｒｅｐｏｒｔ送信部１６は、「Ｅｖｅｎｔ-Ｔｙｐｅ＝Ｂ１」に対応する（式１）に示す第１判定条件の雛形に対して、「Ｅｖｅｎｔ-Ｔｙｐｅ＝Ｂ１」に関連付けられている「パラメータ」に含まれるパラメータ（所定閾値Ｔｈ１）を代入したものを、上述の判定に用いる判定条件とするように構成されていてもよい。
【００６１】
また、Ｍｅａｓｕｒｅｍｅｎｔ  Ｒｅｐｏｒｔ送信部１６は、「Ｅｖｅｎｔ-Ｔｙｐｅ＝Ｂ２」に対応する（式２）に示す第２判定条件の雛形に対して、「Ｅｖｅｎｔ-Ｔｙｐｅ＝Ｂ２」に関連付けられている「パラメータ」に含まれるパラメータ（所定オフセット値）を代入したものを、上述の判定に用いる判定条件とするように構成されていてもよい。
【００６２】
さらに、Ｍｅａｓｕｒｅｍｅｎｔ  Ｒｅｐｏｒｔ送信部１６は、「Ｅｖｅｎｔ-Ｔｙｐｅ＝Ｂ３」に対応する（式３）に示す第３判定条件の雛形に対して、「Ｅｖｅｎｔ-Ｔｙｐｅ＝Ｂ３」に関連付けられている「パラメータ」に含まれるパラメータ（所定閾値Ｔｈ２、Ｔｈ３）を代入したものを、上述の判定に用いる判定条件とするように構成されていてもよい。
【００６３】
なお、かかる判定条件の雛形は、上述の（式１）乃至（式３）に示すもの以外であってもよい。
【００６４】
図５に示すように、本実施形態に係る無線基地局ｅＮＢは、トリガ検出部２１と、Ｍｅａｓｕｒｅｍｅｎｔ  Ｒｕｌｅ指定コマンド送信部２２と、Ｍｅａｓｕｒｅｍｅｎｔ  Ｏｂｊｅｃｔ指定コマンド送信部２３と、Ｍａｐｐｉｎｇ指定コマンド送信部２４とを具備している。
【００６５】
トリガ検出部２１は、特定の移動局ＵＥに対してＭｅａｓｕｒｅｍｅｎｔ  Ｒｕｌｅ指定コマンドやＭｅａｓｕｒｅｍｅｎｔ  Ｏｂｊｅｃｔ指定コマンドやＭａｐｐｉｎｇ指定コマンドを送信するトリガを検出するように構成されている。
【００６６】
かかるトリガとしては、特定の移動局ＵＥが「Ｉｄｌｅ状態」から「Ａｃｔｉｖｅ状態」に遷移したことや、特定の移動局ＵＥが異周波数ハンドオーバを行ったことや、特定の移動局ＵＥと当該特定の移動局が現在通信中のセルとの間の通信状況が所定条件と満たしたこと等が想定される。
【００６７】
Ｍｅａｓｕｒｅｍｅｎｔ  Ｒｕｌｅ指定コマンド送信部２２は、トリガ検出部２１によって、特定の移動局ＵＥに対してＭｅａｓｕｒｅｍｅｎｔ  Ｒｕｌｅ指定コマンドを送信するトリガが検出された場合、「Ｍｅａｓｕｒｅｍｅｎｔ-ＩＤ」と「Ｅｖｅｎｔ-Ｔｙｐｅ」と「パラメータ」とを含むＭｅａｓｕｒｅｍｅｎｔ  Ｒｕｌｅ指定コマンドを送信するように構成されている。
【００６８】
また、Ｍｅａｓｕｒｅｍｅｎｔ  Ｒｕｌｅ指定コマンド送信部２２は、特定の移動局ＵＥ内の測定情報記憶部１４に対して、Ｍｅａｓｕｒｅｍｅｎｔ  Ｒｕｌｅの追加或いは削除を指定するＭｅａｓｕｒｅｍｅｎｔ  Ｒｕｌｅ指定コマンドを送信するように構成されている。
【００６９】
Ｍｅａｓｕｒｅｍｅｎｔ  Ｏｂｊｅｃｔ指定コマンド送信部２３は、トリガ検出部２１によって、特定の移動局ＵＥに対してＭｅａｓｕｒｅｍｅｎｔ  Ｏｂｊｅｃｔ指定コマンドを送信するトリガが検出された場合、Ｍｅａｓｕｒｅｍｅｎｔ  Ｒｕｌｅ指定コマンドとは別に、「ＲＡＴ」と「周波数」と「優先度」とを含むＭｅａｓｕｒｅｍｅｎｔ  Ｏｂｊｅｃｔ指定コマンドを送信するように構成されている。
【００７０】
また、Ｍｅａｓｕｒｅｍｅｎｔ  Ｏｂｊｅｃｔ指定コマンド送信部２３は、特定の移動局ＵＥ内の測定情報記憶部１４に対して、Ｍｅａｓｕｒｅｍｅｎｔ  Ｏｂｊｅｃｔの追加或いは削除を指定するＭｅａｓｕｒｅｍｅｎｔ  Ｏｂｊｅｃｔ指定コマンドを送信するように構成されている。
【００７１】
Ｍａｐｐｉｎｇ指定コマンド送信部２４は、特定の移動局ＵＥに対して、上述のＭｅａｓｕｒｅｍｅｎｔ  ＲｕｌｅとＭｅａｓｕｒｅｍｅｎｔ  Ｏｂｊｅｃｔとを関連付けるためのＭａｐｐｉｎｇ指定コマンドを送信するように構成されている。
【００７２】
例えば、Ｍａｐｐｉｎｇ指定コマンド送信部２４は、１つの「周波数」と、１つの「優先度」と、１つ又は複数の「Ｍｅａｓｕｒｅｍｅｎｔ-ＩＤ」とを含むＭａｐｐｉｎｇ指定コマンドを送信するように構成されていてもよい。
【００７３】
或いは、Ｍａｐｐｉｎｇ指定コマンド送信部２４は、１つの「Ｍｅａｓｕｒｅｍｅｎｔ-ＩＤ」と、１つ又は複数の「周波数」とを含むＭａｐｐｉｎｇ指定コマンドを送信するように構成されていてもよい。
【００７４】
なお、Ｍｅａｓｕｒｅｍｅｎｔ  Ｏｂｊｅｃｔ指定コマンド送信部２３及びＭａｐｐｉｎｇ指定コマンド送信部２４は、特定の移動局ＵＥに対して、同一のシグナリング（報知信号或いは個別信号）で、Ｍｅａｓｕｒｅｍｅｎｔ  Ｒｕｌｅ指定コマンドとＭｅａｓｕｒｅｍｅｎｔ  Ｏｂｊｅｃｔ指定コマンドとＭａｐｐｉｎｇ指定コマンドとを送信するように構成されていてもよい。
【００７５】
例えば、かかる同一のシグナリングとして、「ＲＲＣ  Ｃｏｎｎｅｃｔｉｏｎ  Ｒｅｃｏｎｆｉｇｕｒａｔｉｏｎ  Ｍｅｓｓａｇｅ」が用いられてもよい。
【００７６】
また、Ｍｅａｓｕｒｅｍｅｎｔ  Ｏｂｊｅｃｔ指定コマンド送信部２３及びＭａｐｐｉｎｇ指定コマンド送信部２４は、特定の移動局ＵＥに対して、異なるシグナリング（報知信号或いは個別信号）で、Ｍｅａｓｕｒｅｍｅｎｔ  Ｏｂｊｅｃｔ指定コマンド及びＭａｐｐｉｎｇ指定コマンドを送信するように構成されていてもよい。
【００７７】
また、移動局ＵＥのハンドオーバ時には、Ｍｅａｓｕｒｅｍｅｎｔ  Ｒｕｌｅ指定コマンド送信部２２が、ハンドオーバをトリガするコマンドによって、ハンドオーバ先のセルで用いるべきＭｅａｓｕｒｅｍｅｎｔ  Ｒｕｌｅを指定するためのＭｅａｓｕｒｅｍｅｎｔ  Ｒｕｌｅ指定コマンドを送信し、Ｍｅａｓｕｒｅｍｅｎｔ  Ｏｂｊｅｃｔ指定コマンド送信部２３が、ハンドオーバをトリガするコマンドによって、ハンドオーバ先のセルで用いるべきＭｅａｓｕｒｅｍｅｎｔ  Ｏｂｊｅｃｔを指定するためのＭｅａｓｕｒｅｍｅｎｔ  Ｏｂｊｅｃｔ指定コマンドを送信し、Ｍａｐｐｉｎｇ指定コマンド送信部２４が、ハンドオーバをトリガするコマンドによって、上述のＭｅａｓｕｒｅｍｅｎｔ  ＲｕｌｅとＭｅａｓｕｒｅｍｅｎｔ  ＯｂｊｅｃｔとをマッピングするためのＭａｐｐｉｎｇ指定コマンドを送信してもよい。
【００７８】
（本発明の第１の実施形態に係る移動通信システムの動作）
図６を参照して、本発明の第１の実施形態に係る移動通信システムの動作について説明する。
【００７９】
図６に示すように、ステップＳ１００１において、無線基地局ｅＮＢのトリガ検出部２１は、移動局ＵＥが「Ｉｄｌｅ状態」から「Ａｃｔｉｖｅ状態」に遷移したことを検出する。
【００８０】
ステップＳ１００２において、無線基地局ｅＮＢのＭｅａｓｕｒｅｍｅｎｔ  Ｒｕｌｅ指定コマンド送信部２２が、移動局ＵＥ内の測定情報記憶部１４に対して、Ｍｅａｓｕｒｅｍｅｎｔ  Ｒｕｌｅを追加するように指定するＭｅａｓｕｒｅｍｅｎｔ  Ｒｕｌｅ指定コマンドを送信し、無線基地局ｅＮＢのＭｅａｓｕｒｅｍｅｎｔ  Ｏｂｊｅｃｔ指定コマンド送信部２３が、移動局ＵＥ内の測定情報記憶部１４に対して、Ｍｅａｓｕｒｅｍｅｎｔ  Ｏｂｊｅｃｔを追加するように指定するＭｅａｓｕｒｅｍｅｎｔ  Ｏｂｊｅｃｔ指定コマンドを送信し、無線基地局ｅＮＢのＭａｐｐｉｎｇ指定コマンド送信部２４が、当該Ｍｅａｓｕｒｅｍｅｎｔ  Ｒｕｌｅ指定コマンドにより追加するように指定された各Ｍｅａｓｕｒｅｍｅｎｔ  Ｒｕｌｅと当該Ｍｅａｓｕｒｅｍｅｎｔ  Ｏｂｊｅｃｔ指定コマンドにより追加するように指定された各Ｍｅａｓｕｒｅｍｅｎｔ  Ｏｂｊｅｃｔとを関連付けるように指定するＭａｐｐｉｎｇ指定コマンドを送信する。
【００８１】
ステップＳ１００３において、移動局ＵＥのＭｅａｓｕｒｅｍｅｎｔ  Ｒｕｌｅ指定コマンド受信部１１が、受信した当該Ｍｅａｓｕｒｅｍｅｎｔ  Ｒｕｌｅ指定コマンドにより追加するように指定された各Ｍｅａｓｕｒｅｍｅｎｔ  Ｒｕｌｅを測定情報記憶部１４に追加し（図３参照）、移動局ＵＥのＭｅａｓｕｒｅｍｅｎｔ  Ｏｂｊｅｃｔ指定コマンド受信部１２が、受信した当該Ｍｅａｓｕｒｅｍｅｎｔ  Ｏｂｊｅｃｔ指定コマンドにより追加するように指定された各Ｍｅａｓｕｒｅｍｅｎｔ  Ｏｂｊｅｃｔを測定情報記憶部１４に追加し（図４参照）、移動局ＵＥのＭａｐｐｉｎｇ指定コマンド受信部１３が、測定情報記憶部１４において、当該Ｍｅａｓｕｒｅｍｅｎｔ  Ｒｕｌｅの各々と当該Ｍｅａｓｕｒｅｍｅｎｔ  Ｏｂｊｅｃｔの各々とを関連付ける。
【００８２】
ステップＳ２００１において、無線基地局ｅＮＢのトリガ検出部２１は、移動局ＵＥと当該移動局ＵＥが現在通信中のセルとの間の通信状況の変化Ａを検出する。
【００８３】
ステップＳ２００２において、無線基地局ｅＮＢのＭｅａｓｕｒｅｍｅｎｔ  Ｒｕｌｅ指定コマンド送信部２２が、移動局ＵＥ内の測定情報記憶部１４に対して、Ｍｅａｓｕｒｅｍｅｎｔ  Ｒｕｌｅを追加或いは削除するように指定するＭｅａｓｕｒｅｍｅｎｔ  Ｒｕｌｅ指定コマンドを送信し、無線基地局ｅＮＢのＭａｐｐｉｎｇ指定コマンド送信部２４が、各Ｍｅａｓｕｒｅｍｅｎｔ  Ｒｕｌｅと各Ｍｅａｓｕｒｅｍｅｎｔ  Ｏｂｊｅｃｔとの関連付けの変化を通知するためのＭａｐｐｉｎｇ指定コマンドを送信する。
【００８４】
ステップＳ２００３において、移動局ＵＥのＭｅａｓｕｒｅｍｅｎｔ  Ｒｕｌｅ指定コマンド受信部１１が、測定情報記憶部１４において、受信した当該Ｍｅａｓｕｒｅｍｅｎｔ  Ｒｕｌｅ指定コマンドにより追加或いは削除するように指定された各Ｍｅａｓｕｒｅｍｅｎｔ  Ｒｕｌｅを追加或いは削除し（図３参照）、移動局ＵＥのＭａｐｐｉｎｇ指定コマンド受信部１３が、測定情報記憶部１４において、当該Ｍｅａｓｕｒｅｍｅｎｔ  Ｒｕｌｅの各々と当該Ｍｅａｓｕｒｅｍｅｎｔ  Ｏｂｊｅｃｔの各々との関連付けを変更する。
【００８５】
ステップＳ３００１において、無線基地局ｅＮＢのトリガ検出部２１は、移動局ＵＥと当該移動局ＵＥが現在通信中のセルとの間の通信状況の変化Ｂを検出する。
【００８６】
ステップＳ３００２において、無線基地局ｅＮＢのＭｅａｓｕｒｅｍｅｎｔ  Ｏｂｊｅｃｔ指定コマンド送信部２３が、移動局ＵＥ内の測定情報記憶部１４に対して、Ｍｅａｓｕｒｅｍｅｎｔ  Ｏｂｊｅｃｔを追加或いは削除するように指定するＭｅａｓｕｒｅｍｅｎｔ  Ｏｂｊｅｃｔ指定コマンドを送信し、無線基地局ｅＮＢのＭａｐｐｉｎｇ指定コマンド送信部２４が、各Ｍｅａｓｕｒｅｍｅｎｔ  Ｒｕｌｅと各Ｍｅａｓｕｒｅｍｅｎｔ  Ｏｂｊｅｃｔとの関連付けの変化を通知するためのＭａｐｐｉｎｇ指定コマンドを送信する。
【００８７】
ステップＳ３００３において、移動局ＵＥのＭｅａｓｕｒｅｍｅｎｔ  Ｏｂｊｅｃｔ指定コマンド受信部１２が、測定情報記憶部１４において、受信した当該Ｍｅａｓｕｒｅｍｅｎｔ  Ｏｂｊｅｃｔ指定コマンドにより追加或いは削除するように指定された各Ｍｅａｓｕｒｅｍｅｎｔ  Ｏｂｊｅｃｔを追加或いは削除し（図４参照）、移動局ＵＥのＭａｐｐｉｎｇ指定コマンド受信部１３が、測定情報記憶部１４において、当該Ｍｅａｓｕｒｅｍｅｎｔ  Ｒｕｌｅの各々と当該Ｍｅａｓｕｒｅｍｅｎｔ  Ｏｂｊｅｃｔの各々との関連付けを変更する。
【００８８】
ステップＳ４００１において、無線基地局ｅＮＢのトリガ検出部２１は、移動局ＵＥが異周波数ハンドオーバを行ったことを検出する。
【００８９】
ステップＳ４００２において、無線基地局ｅＮＢのＭａｐｐｉｎｇ指定コマンド送信部２４が、各Ｍｅａｓｕｒｅｍｅｎｔ  Ｒｕｌｅと各Ｍｅａｓｕｒｅｍｅｎｔ  Ｏｂｊｅｃｔとの関連付けの変化を通知するためのＭａｐｐｉｎｇ指定コマンドを送信する。
【００９０】
ステップＳ４００３において、移動局ＵＥのＭａｐｐｉｎｇ指定コマンド受信部１３が、測定情報記憶部１４において、当該Ｍｅａｓｕｒｅｍｅｎｔ  Ｒｕｌｅの各々と当該Ｍｅａｓｕｒｅｍｅｎｔ  Ｏｂｊｅｃｔの各々との関連付けを変更する。
【００９１】
（本発明の第１の実施形態に係る移動通信システムの作用・効果）
本実施形態に係る移動通信システムによれば、Ｍｅａｓｕｒｅｍｅｎｔ  Ｒｕｌｅ指定コマンド及びＭｅａｓｕｒｅｍｅｎｔ  Ｏｂｊｅｃｔ指定コマンドを別々に送信することができるので、移動局ＵＥによってＭｅａｓｕｒｅｍｅｎｔ  Ｒｅｐｏｒｔを送信するべきか否かについて判定するための判定条件について柔軟に変更することができる。
【００９２】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９６】
ＵＥ…移動局
１１…Ｍｅａｓｕｒｅｍｅｎｔ  Ｒｕｌｅ指定コマンド受信部
１２…Ｍｅａｓｕｒｅｍｅｎｔ  Ｏｂｊｅｃｔ指定コマンド受信部
１３…Ｍａｐｐｉｎｇ指定コマンド受信部
１４…測定情報記憶部
１５…測定部
１６…Ｍｅａｓｕｒｅｍｅｎｔ  Ｒｅｐｏｒｔ送信部
ｅＮＢ…無線基地局
２１…トリガ検出部
２２…Ｍｅａｓｕｒｅｍｅｎｔ  Ｒｕｌｅ指定コマンド送信部
２３…Ｍｅａｓｕｒｅｍｅｎｔ  Ｏｂｊｅｃｔ指定コマンド送信部
２４…Ｍａｐｐｉｎｇ指定コマンド送信部
【図１】
0004685948.tif 000002
【図２】
0004685948.tif 000003
【図３】
0004685948.tif 000004
【図４】
0004685948.tif 000005
【図５】
0004685948.tif 000006
【図６】
0004685948.tif 000007